【手続補正書】
【提出日】平成26年12月25日(2014.12.25)
【手続補正１】
【補正対象書類名】明細書
【補正対象項目名】００１７
【補正方法】削除
【補正の内容】
【手続補正２】
【補正対象書類名】明細書
【補正対象項目名】００１８
【補正方法】削除
【補正の内容】
【手続補正３】
【補正対象書類名】明細書
【補正対象項目名】００１９
【補正方法】削除
【補正の内容】
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】削除
【補正の内容】
【手続補正６】
【補正対象書類名】明細書
【補正対象項目名】００２８
【補正方法】変更
【補正の内容】
【００２８】
第２レンズ群ズームカム溝２０ＺＣには、第２レンズ群摺動枠２ＳＦの第２レンズ群ピン２Ｐが係合し、第２レンズ群ＬＧ２がズーム移動させられる。第１レンズ群直進ガイド溝２２Ｃには、第１レンズ群支持枠１Ｆの第１レンズ群ピン１Ｐが係合し、第１レンズ群ＬＧ１を非回転直進移動させる。第３レンズ群直進ガイド凹部２４Ｒには、第３レンズ群支持枠３Ｆの第３レンズ群ピン３Ｐが係合し、第３レンズ群ＬＧ３を非回転直進移動させる。第２レンズ群摺動ピン直進ガイド凹部２６Ｒには、第２レンズ群摺動ピン２ＳＰが係合し、第２レンズ群ＬＧ２を非回転直進移動させる。
【手続補正７】
【補正対象書類名】明細書
【補正対象項目名】００２９
【補正方法】変更
【補正の内容】
【００２９】
縦溝固定筒１８の内側には、図１及び図２に示すように、フォーカスカム筒２０が配置されている。フォーカスカム筒２０は、図４に示すように、フォーカス用カム溝２０C及び第２レンズ群摺動ピン溝２０Ｂが形成されている。フォーカスカム筒２０は、フォーカス連動板２１を介して後述する自動合焦駆動ユニットＡＦＵの回転リング１０２に連結されている。
フォーカス用カム溝２０Cには、第２レンズ群ピン２Ｐが係合し、第２レンズ群ＬＧ２がズーム移動させられる。第２レンズ群摺動ピン溝２０Ｂには、第２レンズ群摺動ピン２ＳＰが係合し、第２レンズ群ＬＧ２が、フォーカス移動させられる。
【手続補正８】
【補正対象書類名】明細書
【補正対象項目名】００３０
【補正方法】変更
【補正の内容】
【００３０】
フォーカスカム筒２０の内側には、図１及び図２に示すように、第１カム筒２４が配置されている。第１カム筒２４には、図５に示すように、第３レンズ群カム３C及び第４レンズ群縦溝４Ｌが設けられている。第３レンズ群カム３Cには、第３レンズ群支持枠３Ｆの第３レンズ群ピン３Ｐが係合し、第３レンズ群ＬＧ３をズーム移動させる。第４レンズ群縦溝４Ｌには、第２カム筒２６の第４レンズ群摺動ピン４ＳＰが係合し、第４レンズ群摺動ピン４ＳＰは光軸Ｏと平行にガイドされ、第４レンズ群ＬＧ４がズーム移動する。第１カム筒２４には、さらに、第２レンズ群ピン２Ｐの回転を妨げないようにするために円周方向に延びた第１カム筒切り欠き２Ｅが形成されている。
【手続補正９】
【補正対象書類名】明細書
【補正対象項目名】００３３
【補正方法】変更
【補正の内容】
【００３３】
縦溝固定筒１８の外側には、図１及び図２に示すように、第３カム筒３０が配置されている。第３カム筒３０には、図７に示すように、第１レンズ群カム溝１Cが設けられている。第１レンズ群カム１Cには、第１レンズ群摺動枠１Ｆの第１レンズ群ピン１Ｐが係合し、第１レンズ群ＬＧ１をズーム移動させる。第３カム筒３０にはまた、第２レンズ群ピン２Ｐが係合している第２レンズ群縦溝１Ｌが設けられている。第３カム筒３０にはさらに、第３カム筒ガイドピン３ＧＰが係合する第３カム筒ガイド３ＧＲが形成されている。
【手続補正１０】
【補正対象書類名】明細書
【補正対象項目名】００３４
【補正方法】変更
【補正の内容】
【００３４】
（ズーム作動）
ズームリング１１の回動が、第３カム筒３０に伝達される。第１レンズ群摺動枠１Ｆの第１レンズ群ピン１Ｐが、縦溝固定筒１８の第１レンズ群直進ガイド溝２２Ｃと、第３カム筒３０の第１レンズ群カム１Cに係合している。第３カム筒３０の回動により、第１レンズ群ＬＧ１が非回動直進のズーム移動する。
ズームリング１１の回動は、第１カム筒２４にも伝達される。第２レンズ群支持枠２Ｆの第２レンズ群ピン２Ｐが、縦溝固定筒１８の第２レンズ群カム溝２０ＺＣ及び第３カム筒３０の第２レンズ群縦溝１Ｌに係合している。また、第２レンズ群支持枠２Ｆの第２レンズ群摺動ピン２ＳＰが、フォーカスカム筒２０の第２レンズ群摺動ピン溝２０Ｂ及び縦溝固定筒１８の第２レンズ群摺動ピン直進ガイド凹部２６Ｒに係合している。従って、第１カム筒２４の回動により、フォーカスカム筒２０が非回動直進、第２レンズ群支持枠２Ｆ及び第２レンズ群ＬＧ２が回動直進のズーム移動する。
第３レンズ群支持枠３Ｆの第３レンズ群ピン３Ｐが、縦溝固定筒１８の第３レンズ群直進ガイド凹部２４Ｒ及び第１カム筒２４の第３レンズ群カム３Cに係合している。第１カム筒２４の回動により、第３レンズ群支持枠３Ｆ及び第３レンズ群ＬＧ３は、非回動直進のズーム移動する。
第４レンズ群支持枠４Ｆの第４レンズ群ピン４Ｐが、第２カム筒２６の第４レンズ群カム４Ｃ及び第１カム２４の第４レンズ群縦溝４Ｌに係合している。第１カム２４の回動が第２カム筒２６に伝達され、第４レンズ群支持枠４Ｆ及び第４レンズ群ＬＧ４が非回動直進のズーム移動する。
【手続補正１１】
【補正対象書類名】明細書
【補正対象項目名】００３５
【補正方法】変更
【補正の内容】
【００３５】
（合焦作動）
マニアル合焦操作リング２３の回動は、回転リング１０２に伝達される。合焦リング５０の回動は、フォ−カス連動板２１を介してフォーカスカム筒２０に伝達される。第２レンズ群ピン２Ｐが、フォーカス用カム溝２０Ｃ及び第２レンズ群縦溝１Ｌに係合していることにより、第２レンズ群支持枠２Ｆ及び第２レンズ群ＬＧ２が非回転直進の合焦移動する。
【手続補正１２】
【補正対象書類名】明細書
【補正対象項目名】００３８
【補正方法】変更
【補正の内容】
【００３８】
振れ補正ユニットＡＶＵは、図１に示すように、第３レンズ群支持枠３Ｆに実質上固着されたマグネット１２０と、同じく第３レンズ群支持枠３Ｆに実質上固着された係止ユニット１２２を有する。係止ユニット１２２は、係止動輪１２４と係止アーム１２７からなり、振れ補正ユニットＡＶＵが通電されていない時、係止動輪１２４が回転し、係止アーム１２６が第３−３貼合わせレンズ３７を保持するように作動する。第３−３貼合わせレンズ支持枠１１０には、コイル１３０が連結されている。コイル１３０は、マグネット１２０と係止ユニット１２２の間に、両者に間隔をおいて配置されている。
マグネット１２０が連結された第３−３貼合わせレンズ支持枠１１０は、図２に示すように、第３レンズ群支持枠３Ｆに実質上固着された一対の固定ヨーク１２６，１２８の間にボール１４０，１４２を介して挟持され、一定範囲において光軸方向と直交する方向へ移動自在である。
コイル１２０は、レンズ鏡筒１０内の適所に配置されたジャイロ（図示せず）によって検出された振れ検出信号に基づくコイル駆動電力を受ける。コイル駆動電力を入力されたコイル１３０は、マグネット１２０の磁力によって光軸方向と直交する方向の所定位置へ移動し、第３−３貼合わせレンズ３７が振れ補正を行う。
【手続補正１３】
【補正対象書類名】明細書
【補正対象項目名】００３９
【補正方法】変更
【補正の内容】
【００３９】
Ｏ              光軸
ＡＦＵ          自動合焦駆動ユニット
ＡＶＵ          振れ補正ユニット
ＬＧ１          第１レンズ群
ＬＧ２          第２レンズ群
ＬＧ３          第３レンズ群
ＬＧ４          第４レンズ群
１０            レンズ鏡筒
１２            レンズマウント
１４            第１外筒部材
１５            第２外筒部材
１６            台座筒部材
１８            縦溝固定筒
２０            フォーカスカム筒
２１            フォーカス連動板
２３            マニアル合焦操作リング
２４            第１カム筒
３０            第３カム筒
３１            第３−１レンズ
３４            第３−２貼合わせレンズ
３７            第３−３貼合わせレンズ
１００          超音波モータ
１０２          回転リング
１１０          第３−３貼合わせレンズ支持枠
１２０          マグネット
１２２          係止ユニット
１２４          係止動輪
１２７          係止アーム
１３０          コイル
１２６，１２８  固定ヨーク
１Ｆ            第１レンズ群支持枠
１Ｐ            第１レンズ群ピン
１Ｃ            第１レンズ群カム溝
１Ｆ            第１レンズ群摺動枠
１Ｌ            第２レンズ群縦溝
２Ｆ            第２レンズ群支持枠
２Ｐ            第２レンズ群ピン
２Ｅ            第１カム筒切り欠き
３ＧＰ          第３カム筒ガイドピン
３Ｆ            第３レンズ群支持枠
３ＧＰ          第３カム筒ガイドピン
３Ｒ            第３カム筒ガイド
３Ｃ            第３レンズ群カム
３Ｆ            第３レンズ群支持枠
３Ｐ            第３レンズ群ピン
４Ｌ            第４レンズ群縦溝
４Ｆ            第４レンズ群支持枠
４Ｐ            第４レンズ群ピン
４Ｃ            第４レンズ群カム溝
４ＳＰ          第４レンズ群摺動ピン
２０Ｃ          フォーカス用カム溝
２０ＺＣ        第２レンズズームカム溝
２０Ｂ          フォーカス摺動コマ回動溝
２２Ｃ          第１レンズ群直進ガイド溝
２６Ｒ          フォーカス摺動コマ直進ガイド凹部